(57)【要約】      （修正有）【課題】物品をスムーズに出し入れでき、かつパイプ部材の装着が容易にできるパイプ棚及びそれを有する物品収容装置を提供する。【解決手段】パイプ棚１００は、板材を折り曲げて形成された少なくとも上面１２と側面１４ａ，１４ｂとを有する一対の長尺状枠部材１０と、一対の長尺状枠部材間にこれら長尺状枠部材と直交する方向に並列に所定間隔で配設されている複数のパイプ部材２０とを備えている。一対の長尺状枠部材の各々は、その上面からパイプ部材が配設される側の側面まで下方へ傾斜する傾斜面１３と、傾斜面と側面とにかけて形成されており、複数のパイプ部材を挿入するための複数のパイプ挿入孔とを備えており、複数のパイプ部材は、両端部が複数のパイプ挿入孔にそれぞれ挿入されて固着されている。【選択図】図１
0003167678.tif 000002
【実用新案登録請求の範囲】
【請求項１】
板材を折り曲げて形成された少なくとも上面と側面とを有する一対の長尺状枠部材と、
前記一対の長尺状枠部材間にこれら長尺状枠部材と直交する方向に並列に所定間隔で配設されている複数のパイプ部材とを備え、
前記一対の長尺状枠部材の各々は、前記上面から前記パイプ部材が配設される側の前記側面まで下方へ傾斜する傾斜面と、前記傾斜面と前記側面とにかけて形成されており、前記複数のパイプ部材を挿入するための複数のパイプ挿入孔とを備えており、
前記複数のパイプ部材は、両端部が前記複数のパイプ挿入孔にそれぞれ挿入されて固着されていることを特徴とするパイプ棚。
【請求項２】
前記一対の長尺状枠部材の各々の内側には、前記複数のパイプ部材を固定する固定部材が設けられていることを特徴とする請求項１に記載のパイプ棚。
【請求項３】
前記一対の長尺状枠部材と平行する方向に配置され、前記複数のパイプ部材の下面に取り付けられる長尺状補強部材をさらに備えていることを特徴とする請求項１又は２に記載のパイプ棚。
【請求項４】
少なくとも前面に開口部を有する収容室と、
前記収容室の内部に装着される少なくとも１つの、請求項１から３のいずれか１項に記載のパイプ棚と、
を備えていることを特徴とする物品収容装置。
【考案の詳細な説明】
【技術分野】
【０００１】
本考案は、例えば、給食用食器又は調理器具等の物品を収容する装置内に配置されこれら物品の載置に用いられるパイプ棚、及びこのパイプ棚を設けた物品収容装置に関するものである。
【背景技術】
【０００２】
従来、前面に開口する収納部内に複数段の棚を架設し、各棚上に食器を収容した食器カゴやトレー等を載せ、収納部内に熱風又は蒸気を循環させることにより、食器を乾燥、消毒して保管する食器保管庫が提案されている（例えば、特許文献１）。
【０００３】
このような食器保管庫に用いられる棚は、一対の棚フレーム（棚受け）と、これら一対の棚フレーム間に配設される複数のパイプ部材とを有する。棚フレームの一側壁に複数パイプを挿入するためのパイプ挿通孔が形成されている。パイプ挿通孔に挿入されたパイプ部材は、固定部材により棚フレームに固定されている。
【０００４】
図４は、従来のパイプ棚の一例を示す図である。図４（ａ）は、パイプ棚の構成を示す局部斜視図であり、図４（ｂ）は、パイプ棚の構成を示す局部側面図である。特に図４（ｂ）においては、食器等を収容する容器７０の出し入れ状態を示している。図中の矢印は、出し入れ方向を示している。
【０００５】
図４に示すように、従来のパイプ棚１は、一対の棚フレーム（棚受け）２と、一対の棚フレーム２間に配設される複数のパイプ部材３とを有する。棚フレーム２は、水平の上面２ａと、段差部２ｂを有し、段差部２ｂの側壁２ｃに複数のパイプ部材３を挿入するための複数のパイプ挿通孔が形成されている。パイプ挿通孔に挿入されたパイプ部材３は、支持部材４により支持されると共に固定されている。
【先行技術文献】
【特許文献】
【０００６】
【特許文献１】特開２００５−２３７４００号公報
【考案の概要】
【考案が解決しようとする課題】
【０００７】
しかしながら、特許文献１の食器保管庫に用いられる棚、及び図４に示すようなパイプ棚１によると、棚フレーム２の軸断面が矩形形状であり、上面２ａとパイプ部材３の上面との間に段差Ｄが存在するため、パイプ棚１に物品を出し入れする際に、この段差部で物品が引っかかりスムーズに移動させることができないという問題があった。また、引っかかることにより大きな音（騒音）が発生するという問題点もあった。さらに、引っかかることによりパイプ棚１が脱落する可能性がある。
【０００８】
従って、本考案は従来技術の上述した問題点を解消するものであり、本考案の目的は、物品を引っかかりなくスムーズに出し入れでき、かつその際の騒音発生を低減することができるパイプ棚及びこのパイプ棚を設けた物品収容装置を提供することにある。
【課題を解決するための手段】
【０００９】
本考案によれば、パイプ棚は、板材を折り曲げて形成された少なくとも上面と側面とを有する一対の長尺状枠部材と、一対の長尺状枠部材間にこれら長尺状枠部材と直交する方向に並列に所定間隔で配設されている複数のパイプ部材とを備えている。一対の長尺状枠部材の各々は、その上面からパイプ部材が配設される側の側面まで下方へ傾斜する傾斜面と、傾斜面と側面とにかけて形成されており、複数のパイプ部材を挿入するための複数のパイプ挿入孔とを備えており、複数のパイプ部材は、両端部が複数のパイプ挿入孔にそれぞれ挿入されて固着されている。
【００１０】
各長尺状枠部材には、その上面からパイプ部材が配設される側の側面まで下方へ傾斜する傾斜面が形成されており、さらに、傾斜面と側面とにかけて複数のパイプ部材を挿入するための複数のパイプ挿入孔が形成され、複数のパイプ部材は、複数のパイプ挿入孔にそれぞれ挿入されて固着されている。これにより、長尺状枠部材の上面とパイプ部材の上面との間の段差が低減し、かつ段差部が傾斜しているため、物品の出し入れの際に、長尺状枠部材に引っかかることがなく、スムーズに摺動させることができる。さらに、引っかかることによる音（騒音）の発生を抑えることができる。また、パイプ挿入孔が斜めに広く開口しているため、パイプ棚を作製するにあたって、各パイプ部材を各パイプ挿入孔に挿入する作業を極めて容易に行うことができる。
【００１１】
また、一対の長尺状枠部材の各々の内側には、複数のパイプ部材を固定する固定部材が設けられていることが好ましい。このように、パイプ部材を安定して固着することが可能となる。
【００１２】
さらに、一対の長尺状枠部材と平行する方向に配置され、複数のパイプ部材の下面に取り付けられる長尺状補強部材をさらに備えていることが好ましい。このように、補強部材を設けることで、物品の重量等によるパイプ部材の変形を抑えることができる。
【００１３】
本考案によれば、少なくとも前面に開口部を有する収容室と、収容室の内部に装着される少なくとも１つの、上述したパイプ棚とを備えている物品収容装置が提供される。
【００１４】
物品収容装置において、パイプ棚は、各長尺状枠部材には、その上面からパイプ部材が配設される側の側面まで下方へ傾斜する傾斜面が形成されており、さらに、傾斜面と側面とにかけて複数のパイプ部材を挿入するための複数のパイプ挿入孔が形成され、複数のパイプ部材は、複数のパイプ挿入孔にそれぞれ挿入されて固着されている。これにより、長尺状枠部材の上面とパイプ部材の上面との間の段差が低減し、かつ段差部が傾斜しているため、物品の出し入れの際に、長尺状枠部材に引っかかることがなく、スムーズに摺動させることができる。さらに、引っかかることによる音（騒音）の発生を抑えることができる。
【考案の効果】
【００１５】
本考案によれば、物品の出し入れの際に、長尺状枠部材に引っかかることがなく、スムーズに摺動することができる。そのため、引っかかることによる音（騒音）の発生を抑えることができると共に、パイプ棚の脱落を防止することが可能である。また、パイプ棚を作製するにあたって、各パイプ部材を各パイプ挿入孔に挿入する作業を極めて容易に行うことができる。
【００１６】
また、各長尺状枠部材の内側には、複数のパイプ部材を固定する固定部材が設けられていることで、パイプ部材を安定して固着することが可能となる。
【００１７】
また、補強部材を設けることで、物品の重量等によるパイプ部材の変形を抑えることができる。
【図面の簡単な説明】
【００１８】
【図１】本考案の実施形態におけるパイプ棚の構成を概略的に示す斜視図である。
【図２】図１に示したパイプ棚の構成を示す局部拡大図である。
【図３】図１に示したパイプ棚を用いた物品収容装置の構成を概略的に示す斜視図である。
【図４】従来のパイプ棚の構成を概略的に示す局部斜視図と側面図である。
【考案を実施するための形態】
【００１９】
以下、本考案に係るパイプ棚及びこのパイプ棚を設置した物品収容装置の実施形態を、図を参照して説明する。
【００２０】
図１は本考案の一実施形態におけるパイプ棚１００の構成を示しており、図２（ａ）はこのパイプ棚１００を上から見た状態を局部的に示しており、図２（ｂ）はこのパイプ棚１００を側面から見た状態を局部的に示している。
【００２１】
図１及び図２に示すように、本実施形態のパイプ棚１００は、互いに同一の構造を有する一対の長尺状枠部材（棚受け部材）１０と、一対の長尺状枠部材１０の間にこれら長尺状枠部材１０と直交する方向に並列に配設されており、互いに同一の径及び長さを有する複数のパイプ部材２０と、補強部材３０とを備える。ここで、複数のパイプ部材２０は、両端部が長尺状枠部材１０のパイプ挿入孔１６に挿入され、固着されている。
【００２２】
各長尺状枠部材１０は、ステンレス製の板材を折り曲げて形成されたものであり、その長さ方向に沿った、上面１２と、傾斜面１３と、側面１４ａ及び１４ｂと、底面１５ａ及び１５ｂとを有する。即ち、長尺状枠部材１０の上面１２からパイプ部材２０が配設される側の側面１４ａまで下方へ傾斜する傾斜面１３が形成されている。傾斜面１３の上面１２に対する傾斜角度αは、例えば約１５度であるがこれに限定されるものではない。また、傾斜面１３と側面１４ａとにかけて複数のパイプ部材２０を挿入するための複数のパイプ挿入孔１６が形成されている。複数のパイプ挿入孔１６は互いに同一の径（内径）を有している。
【００２３】
また、長尺状枠部材１０の内側に、複数のパイプ部材２０を固定する固定部材１１が設けられている。この固定部材１１は、ステンレス製の板材をコ字形に折り曲げて形成されたものであり、両辺は長尺状枠部材１０の底面１５ａ及び１５ｂにより支えられている。固定部材１１の上面には複数のパイプ部材２０を固定するための穴が設けられている（図示せず）。この固定部材１１を設けることで、パイプ部材２０を安定して固着することが可能となる。
【００２４】
パイプ部材２０は、互いに同一の長さ及び径（外径）を有するステンレス製の複数の円筒状パイプである。これらのパイプ部材２０は、一対の長尺状枠部材１０の間にこれら長尺状枠部材１０と直交する方向に並列に所定間隔で配設され、かつ両端部が一対の長尺状枠部材１０のパイプ挿入孔１６の各々に挿入され、固定部材１１に固着されている。
【００２５】
補強部材３０は、ステンレス製の板材を折り曲げて形成されたものであり、少なくとも上面と両側面とを有する。この補強部材３０は、複数のパイプ部材２０の中央部に長尺状枠部材１０と平行する方向に配置され、複数のパイプ部材２０の下面に取り付けられている。補強部材３０を設けることで、物品の重量等によるパイプ部材の変形を抑えることができる。この例において、補強部材３０を１本設けたものであるが、これに限定されるものではなく、パイプ棚１００の寸法によって２本以上設けてもよい。
【００２６】
図３はパイプ棚１００を用いた、物品収容装置の一例である食器類収容装置１１０の構成を示している。ここで、食器類収容装置１１０は、給食用食器や調理器具等を収容し、運搬するものである。
【００２７】
図３に示すように、食器類収容装置１１０は、収容室４０と、この収容室４０の内部の互いに対向する側内壁面に取り付けられた複数段のパイプ棚１００とを備える。
【００２８】
ここで、パイプ棚１００は、上述したように、一対の長尺状枠部材１０と、複数のパイプ部材２０と、補強部材３０とから構成されている。また、容器７０は、食器類を載置するカゴ又はトレーである。図３において、容器７０を仮想線（二点鎖線）で示している。
【００２９】
収容室４０は、前面に開口部５０を有しており、この開口部には開閉自在の扉６０が設けられている。なお、収容室４０の前面及び背面ともに開口部５０を有するようにしてもよい。この場合、前面又は裏面の開口部５０から食器類を出し入れすることができる。
【００３０】
収容室４０の内部には、高さ方向に所定間隔を隔てて複数段に配置されている。各パイプ棚１００は、例えば、収容室４０の互いに対向する側内壁面（左右の側内壁面）上に取り付けられている。パイプ棚１００の上面に食器類を載置する容器７０が載せられる。容器７０は、奥行き方向に摺動して出し入れ自在となっている。
【００３１】
このように、パイプ棚１００の長尺状枠部材１０に傾斜面１３を設けているため、食器類を載置する容器７０を収容室４０への出し入れ時に、容器７０はパイプ部材２０の上面から長尺状枠部材１０の上面１２へ傾斜面１３を介して段差なく移動するので、長尺状枠部材１０に引っかかることがなく、スムーズに摺動することができ、その結果、引っかかることによる音（騒音）の発生を抑えることができると共に、パイプ棚の脱落を防止することが可能である。
【００３２】
また、傾斜面１３と側面１４にかけて複数のパイプ部材２０を挿入するための複数のパイプ挿入孔１６が形成されているため、パイプ部材２０を装着する際に、パイプ挿入孔１６に挿入する作業が容易にできる。
【００３３】
さらに、補強部材３０を設けることで、調理物の重量等によるパイプ部材２０の変形を防止することができる。
【００３４】
なお、上述した実施形態のパイプ棚１００において、傾斜面１３の上面１２に対する傾斜角度αは、例えば約１５度としているが、本考案はこれに限定されるものではない。即ち、容器７０をスムーズに摺動することができれば、約１５度以外の角度であってもよい。
【００３５】
また、上述した実施形態のパイプ棚１００において、板材をコ字形に折り曲げて形成された固定部材１１を設けたものとしたが、本考案はこれに限定されるものではない。他の方法でパイプ部材２０を支持し、固定するようにしてもよい。
【００３６】
さらに、上述した実施形態においては、パイプ棚１００を用いた食器類収容装置１１０の例について説明したが、本考案のパイプ棚１００は、食器類収容装置１１０以外の物品保管庫や、収容部内に熱風又は蒸気を循環させ、食器類等を乾燥、消毒して保管する装置にも適用できる。
【産業上の利用可能性】
【００３７】
本考案は、物品の載置に用いられるパイプ棚を有する保管庫等、特に、給食用食器又は調理器具等を収容する物品収容装置に利用できる。
【符号の説明】
【００３８】
１０  長尺状枠部材
１１  固定部材
１２  上面
１３  傾斜面
１４ａ、１４ｂ  側面
１５ａ、１５ｂ  底面
２０  パイプ部材
３０  補強部材
４０  収容室
５０  開口部
６０  扉
７０  容器
１００  パイプ棚
１１０  食器類収容装置
【図１】
0003167678.tif 000003
【図２】
0003167678.tif 000004
【図３】
0003167678.tif 000005
【図４】
0003167678.tif 000006